(57)【要約】【課題】奥行標本化方式により３次元画像を表示するときに、標本化画像の数を増やすことなく、画像の臨場感を高める。【解決手段】図２Ａでは、一定速度で時計回りに回転するスクリーン１に対して、プロジェクタが等間隔に１６枚、即ち２２．５°毎に１枚の標本化画像を表示する。図２Ｂでは、観測者が最も重要視する箇所の表示間隔を１／２に短縮することで高解像度とし、重要度の低い箇所の表示間隔を２倍に延長することで低解像度とする。観測者が最も重要視する箇所の解像度を高くすることで、表示に必要な標本化画像数を変更することなく、臨場感を高めることができる。【選択図】図２
2015105967.tif 000002
【特許請求の範囲】
【請求項１】
奥行標本化方式の３次元画像表示装置であって、
所定数の標本化画像データを記憶する標本化画像データ記憶手段と、前記標本化画像データから生成された前記所定数の標本化画像を所定期間に順次表示することで、３次元画像を表示する３次元画像表示手段と、前記標本化画像の表示間隔を制御する表示間隔制御手段と、を有し、
前記表示間隔制御手段は、前記３次元画像の所望の部分の標本化画像の表示間隔を相対的に短くする間隔可変制御モードを有する３次元画像表示装置。
【請求項２】
請求項１に記載された３次元画像表示装置において、
前記表示間隔制御手段は、前記３次元画像全体の標本化画像の表示間隔を一定にする等間隔制御モードを有し、前記間隔可変制御モードでは、前記所望の部分の標本化画像の表示間隔を当該一定の表示間隔より短くする、３次元画像表示装置。
【請求項３】
請求項１又は２に記載された３次元画像表示装置において、
前記標本化画像の色を前記表示間隔に対応させて可変制御する色制御手段を有する、３次元画像表示装置。
【請求項４】
請求項１乃至３のいずれかに記載された３次元画像表示装置において、
前記標本化画像の画質を前記表示間隔に対応させて可変制御する画質制御手段を有する、３次元画像表示装置。
【請求項５】
請求項４に記載された３次元画像表示装置において、
前記画質は、輝度、コントラスト、画素数の少なくとも一つである、３次元画像表示装置。
【請求項６】
請求項１乃至５のいずれかに記載された３次元画像表示装置において、
各標本化画像の表示モードを表す情報を記憶する表示モード情報記憶手段を有し、前記表示間隔制御手段は、該表示モードを表す情報に基づいて、前記標本化画像の表示間隔を可変制御する、３次元画像表示装置。
【請求項７】
奥行標本化方式の３次元画像表示装置により実行される３次元画像表示方法であって、
所定数の標本化画像データを記憶手段に記憶する標本化画像データ記憶ステップと、
前記標本化画像データから生成された前記所定数の標本化画像を所定期間内に順次表示手段に表示することで、３次元画像を表示する３次元画像表示ステップと、を有し、
前記３次元画像表示ステップは、前記３次元画像の所望の部分の表示間隔を相対的に短くして前記所定数の標本化画像を所定期間内に順次表示手段に表示する、３次元画像表示方法。
【発明の詳細な説明】
【技術分野】
【０００１】
本発明は、奥行標本化方式の３次元画像表示装置及び３次元画像表示方法に関する。
【背景技術】
【０００２】
３次元画像の表示方法として、人間の目の残像効果を利用した奥行標本化方式（体積走査法）と呼ばれるものがある。
【０００３】
奥行標本化方式の３次元画像表示装置としては、投影面であるスクリーンを主面に垂直な方向に高速で往復（走査）させ、スクリーンの走査位置に応じて、物体の標本化画像（断面画像）を時々刻々と変化させつつ投影するものがある。
【０００４】
また、奥行標本化方式の３次元画像表示装置として、スクリーンを回転（回転走査）させ、スクリーンの回転角（回転位置）に応じて、物体の標本化画像を投影するものもある（特許文献１）。この奥行標本化方式は、回転円筒方式と呼ばれるものであり、スクリーンの回転角に応じて、物体の標本化画像を時々刻々と変化させて順次投影する。そして、目の残像効果により、断続的に投影される標本化画像の包絡を視認させることで、スクリーンの回転空間（表示空間）内に物体の３次元画像を表示する。
【０００５】
図７は、この奥行標本化方式の３次元画像表示装置の概略構造を示す図である。３次元画像表示装置１００は、台座部１０１と、台座部１０１の上で高速回転するスクリーン１０２と、このスクリーン１０２を収納する風防１０３を有している。
【０００６】
台座部１０１は回転するスクリーン１０２にＤＭＤ（Digital Micromirror Device）を使用して画像を投影するプロジェクタを構成する光学系を内蔵し、その投影ミラ−部１０４が台座部１０１の上面に設置されている。投影ミラ−部１０４はスクリーン１０２の回転位置に同期して物体の標本化画像１０５をスクリーン１０２に切り替えて投影する。
【０００７】
ここで、上記の３次元画像表示装置により３次元画像を表示できる原理について図８及び図９を用いて説明する。図８に示すように、球形の物体１１０を表示することを考える。スクリーン１０２が時計回りに連続的に回転している状態で、スクリーン１０２がある回転角のとき、この物体１１０の標本化画像としての表面切断画像を考える。
【０００８】
図８に示すように、回転角θ０のとき、スクリーン１０２は物体１１０に僅かに侵入した位置にあり、図９に示すように、その標本化画像は小さな円１１０−θ０となる。以後、スクリーン１０２上の標本化画像は、スクリーン１０２の回転角が物体１１０に侵入するにつれて大きさが変化し、回転角θ２でサイズが最大の円１１０−θ２となる。その後、回転角θ４までサイズが小さくなり、回転角θ５でスクリーン１０２は物体１１０から離脱する。
【０００９】
このようにスクリーン１０２の回転角毎に、物体１１０の標本化画像を投影ミラ−部１０４からスクリーン１０２に投影して表示させる。この時、スクリーン１０２が高速回転していれば、目の積分効果によりスクリーン１０２は見えなくなり、表示した標本化画像が残像として全て見えるようになる。そのため、連続した標本化画像の集合として、物体１１０の３次元画像１２０が表示される。
【００１０】
この３次元画像表示装置では、画像の臨場感を高めるためには画像の高解像度化が必要であり、画像の高解像度化として、スクリーン１回転当たりに表示する標本化画像の数を増やすことが考えられる。
【００１１】
しかし、そのためには、多数の標本化画像が必要となるため、標本化画像を生成するための画像データ（以下、標本化画像データ）を一時記憶するための大容量の画像メモリが必要となる。
【００１２】
このような問題に対処した装置として、観測点から近い距離ではサンプリング間隔を密にして解像度を高め、観測点から遠い距離ではサンプリング間隔を粗にして解像度を低くすることで、標本化画像の数を低減する奥行標本化式立体画像形成・表示装置がある（特許文献２）。
【００１３】
しかしながら、この奥行標本化式立体画像形成・表示装置には、表示する３次元画像によっては、重要な箇所の解像度が低くなり、臨場感を高めることができないという問題がある。
【発明の概要】
【発明が解決しようとする課題】
【００１４】
本発明はこのような問題を解決するためになされたものであり、その目的は、奥行標本化方式により３次元画像を表示するときに、標本化画像の数を増やすことなく、画像の臨場感を高めることである。
【課題を解決するための手段】
【００１５】
本発明は、奥行標本化方式の３次元画像表示装置であって、所定数の標本化画像データを記憶する標本化画像データ記憶手段と、前記標本化画像データから生成された前記所定数の標本化画像を所定期間に順次表示することで、３次元画像を表示する３次元画像表示手段と、前記標本化画像の表示間隔を制御する表示間隔制御手段と、を有し、前記表示間隔制御手段は、前記３次元画像の所望の部分の表示間隔を相対的に短くする間隔可変制御モードを有する、３次元画像表示装置である。
【発明の効果】
【００１６】
本発明によれば、奥行標本化方式により３次元画像を表示するときに、標本化画像の数を増やすことなく、画像の臨場感を高めることができる。
【図面の簡単な説明】
【００１７】
【図１】本発明の実施形態に係る３次元画像表示装置の概略構成を示す図である。
【図２】本発明の実施形態に係る３次元画像表示装置における標本化画像の表示間隔を示す図である。
【図３】本発明の実施形態に係る３次元画像表示装置の機能構成を示すブロック図である。
【図４】本発明の実施形態に係る３次元画像表示装置の動作を示すフローチャートである。
【図５】本発明の実施形態に係る３次元画像表示装置において、標本化画像の表示間隔が一定の場合の動作を示すタイミングチャートである。
【図６】本発明の実施形態に係る３次元画像表示装置において、標本化画像の表示間隔が可変の場合の動作を示すタイミングチャートである。
【図７】従来の奥行標本化方式の３次元画像表示装置の概略構造を示す図である。
【図８】従来の奥行標本化方式の３次元画像表示装置により３次元画像を表示できる原理について説明するための図の一部である。
【図９】従来の奥行サンプリング方式の３次元画像表示装置により３次元画像を表示できる原理について説明するための図の残りの部分である。
【発明を実施するための形態】
【００１８】
以下、本発明の実施形態について図面を参照して説明する。
〈３次元画像表示装置の概略構成〉
図１は、本発明の実施形態に係る３次元画像表示装置の概略構成を示す図である。
【００１９】
図示のように、この奥行標本化方式の３次元画像表示装置は、スクリーン１と、プロジェクタ２と、それらを搭載した回転台３と、回転台３の駆動手段としてのモータ４及び回転軸５と、回転軸５の回転情報（速度、位相）を検出するセンサ６と、制御装置７と、ＰＣ（パーソナルコンピュータ）８と、を備えている。
【００２０】
３次元画像生成・投影手段としてのプロジェクタ２は、３次元画像表示手段としてのスクリーン１へ標本化画像を生成して投影する。スクリーン１は、前記駆動手段の動作により回転する回転台３とともに、人が残像を感じる速度以上の一定速度で回転する。センサ６は回転軸５の回転情報を検出し、制御装置７に伝える。制御装置７はセンサ６からのスクリーン１の回転情報を基に、プロジェクタ２における標本化画像の投影タイミングを制御するとともに、スクリーン１が所定期間で１回転するようにモータ４の回転速度を制御する。ＰＣ８は、標本化画像データ、及び標本化画像の表示モード（標準モード、高画質モード、低画質モード）を設定するためのテーブル情報（詳細については後述）を制御装置７へ送信する。なお、制御装置７をＰＣ８内に設ける構成にしてもよい。
【００２１】
スクリーン１が１回転する期間（回転周期）にプロジェクタ２が複数枚の標本化画像を生成し、スクリーン１に順次投影することで、スクリーン１が１回転する期間に複数枚の標本化画像が順次表示される。観測者は残像効果により複数枚の標本化画像を同時に観測することができ、３次元画像９を認識することができる。
【００２２】
なお、図では、便宜上、制御装置７と、プロジェクタ２、モータ４、センサ６、及びＰＣ８との間を有線で接続する構成としたが、制御装置７と、プロジェクタ２との間については、無線で接続するか又は回転するミラーを介する公知の構成とする。
【００２３】
〈標本化画像の表示間隔〉
図２は、本発明の実施形態に係る３次元画像表示装置における標本化画像の表示間隔（投影間隔）を示す図である。ここで、図２Ａは表示間隔が一定の場合を示し、図２Ｂは表示間隔が可変の場合を示す。これらの図は、スクリーン１に表示された３次元画像を、スクリーン１の真上から観測した状況を示している。これらの表示間隔は後に詳述する表示モードテーブルに基づいて設定される。
【００２４】
図２Ａでは、一定速度で回転するスクリーン１に対して、プロジェクタ２が等間隔に１６枚の標本化画像を投影している。従って、標本化画像を表示する間隔は２２．５°となる。なお、図では、スクリーン１は時計回りに回転するものとし、かつ１２時の位置（角度）をθ０とし、以後２２．５°毎にθ１〜θ15とした。
【００２５】
一方、図２Ｂでは、θ７とθ９との間、及びθ15とθ１との間は２２．５°毎に１枚、θ１とθ３との間、及びθ９とθ11との間は２２．５°毎に２枚、θ3とθ7との間、及びθ11とθ15との間は４５°毎に１枚の標本化画像を表示している。
【００２６】
ここで、表示間隔を短くした場合、表示される３次元画像９は密となり高解像度となる。逆に、表示間隔を長くした場合、表示される３次元画像９は粗となり低解像度となる。図２Ｂの場合、表示間隔が２２．５°の場合の解像度を標準解像度とすると、θ１とθ３との間、及びθ９とθ11との間は解像度が２倍の高解像度となる。また、θ3とθ7との間、及びθ11とθ15との間は解像度が半分の低解像度となる。
【００２７】
表示する物体によって、観測者が重要視する箇所は異なる。即ち、例えば、医療分野で使用されるＣＴ検査結果を表示する場合、観測者である医者は疾患がある患部を最も重要視する。また、アミューズメント分野で使用される場合、例えば動物の顔や細長い尾が注目される。
【００２８】
そこで、３次元画像のうち、観測者が最も重要視する箇所（詳細な観察が必要な部位）の解像度を高くし、重要度の低い箇所の解像度を低くすることで、表示に必要な標本化画像数、プロジェクタ内の画像メモリの容量を変更することなく、臨場感を高めることができる。また、３次元画像の最前面、最後面を高解像度で表示することで、観測者は効率的に奥行き間を得ることができ、臨場感を高めることができる。
【００２９】
このように、３次元画像全体の標本化画像の表示間隔を一定にするのではなく、所望の部分の標本化画像の表示間隔を相対的に短くし、その結果、増加した標本化画像の数を他の所望の部分の表示間隔を相対的に長くして減少させることで、標本化画像の数を増やすことなく、画像の臨場感を高めることができる。
【００３０】
〈３次元画像表示装置のブロック図〉
図３は、本発明の実施形態に係る３次元画像表示装置の機能構成を示すブロック図である。
【００３１】
図示のように、制御装置７には、プロジェクタ２、モータ４、センサ６、及びＰＣ８が接続されている。制御装置７は、ＣＰＵ１１、画像表示信号生成部１２、画像表示信号出力選択部１３、色設定選択部１４、画質設定選択部１５、スイッチ１６、第１のメモリ１７、及び第２のメモリ１８を備えている。
【００３２】
ＰＣ８は、３次元画像表示を行う前に、表示モード情報記憶手段としての第１のメモリ１７へ表示モードテーブルを設定し、第２のメモリ１８へ標本化画像データを転送する。また、ＰＣ８は、３次元画像の表示中に順次標本化画像データを第２のメモリ１８に転送する。スイッチ１６は、オンされると、３次元表示制御信号をＣＰＵ１１に出力し、オフされると、３次元表示制御信号の出力を停止する。
【００３３】
ＣＰＵ１１は、３次元表示制御信号が入力されると、モータ４を一定速度で回転させるためのモータ制御信号をモータ４に出力する。また、ＣＰＵ１１には、回転軸５の回転情報として、回転軸の基準角度（位相）を示すタイミングを示す同期信号がセンサ６から入力される。ＣＰＵ１１は、この同期信号、及び画像表示信号生成部１２からの画像表示信号を基に、制御装置７からプロジェクタ２に出力される画像表示信号、色設定信号、画質設定信号、及び標本化画像データのタイミングを制御する。
【００３４】
画像表示信号生成部１２は標準モード、高画質モード、低画質モードの３種類の画像表示信号（画像表示クロック）を生成する。ここで、標準モードは標本化画像の投影間隔（表示間隔）が一定のモードである。また、高画質モード、低画質モードは、それぞれ標本化画像の投影間隔が標準モードと比べて、短いモード、長いモードである。
【００３５】
ＣＰＵ１１は、第１のメモリ１７に設定された表示モードテーブルを参照して、表示モード情報を読み出し、画像表示信号出力選択部１３へ表示モード選択信号を出力することで、標本化画像の表示間隔を可変設定する。表示間隔制御手段としての画像表示信号出力選択部１３は、ＣＰＵ１１からの表示モード選択信号に基づいて、画像表示信号を選択し、プロジェクタ２に出力することで、標本化画像の表示間隔を可変制御する。
【００３６】
下記の表１は表示モードテーブルの一例である。
【００３７】
【表１】
2015105967.tif 000003
【００３８】
ここでは、表示モードテーブルは、スクリーン１の１回転毎の各標本化画像の表示画像枚数（表示の順番）を表す情報と、表示モードを表す情報（以下、表示モード情報）との対応関係を示している。具体的には、スクリーン１が１回転する間に１００枚の標本化画像を表示するものとし、１枚目から１０枚目、２１枚目から３０枚目、４１枚目から６０枚目、７１枚目から８０枚目、及び９１枚目から１００枚目を標準モードとした。また、１１枚目から２０枚目、及び６１枚目から７０枚目を高画質モードとし、３１枚目から４０枚目、及び８１枚目から９０枚目を低画質モードとした。なお、このテーブルは、ＰＣ８のディスプレイに３次元画像９と同じ画像を表示しながらＰＣ８を操作して書き替えることができる。
【００３９】
色制御手段としての色設定選択部１４は、ＣＰＵ１１からの表示モード選択信号に基づいて、標準色（例．灰色）、高画質対応色、低画質対応色の色設定信号を選択的にプロジェクタ２に出力することで、標本化画像の色を可変制御する。ここで、高画質対応色は、標準色（例．灰色）よりも視認性の高い色（例．赤）であり、低画質対応色は、標準色よりも視認性の低い色（例．黒）である。
【００４０】
画質制御手段としての画質設定選択部１５は、ＣＰＵ１１からの表示モード選択信号に基づいて、標準画質、高画質、低画質の画質設定信号を選択的にプロジェクタ２に出力することで、標本化画像の画質を可変制御する。ここで、高画質の画質設定信号は、標準画質の画像と比べて、「輝度が高い」、「コントラストが強い」、「画素数が多い」などの設定を行う。逆に、低画質の画質設定信号は、標準画質の画像と比べて、「輝度が低い」、「コントラストが弱い」、「画素数が少ない」などの設定を行う。
【００４１】
プロジェクタ２は、ＤＭＤ２１、ＤＭＤ制御部２２、光源２３、光源ドライバ２４、及び画像メモリ２５を備えており、制御装置７から出力された標本化画像データ、画像表示信号、色設定信号、及び画質設定信号に基づいて、スクリーン１に標本化画像を投影する。
【００４２】
即ち、所定数（例えば１００枚）の標本化画像データは標本化画像データ記憶手段としての画像メモリ２５に入力され、記憶される。画質設定信号の解像度情報はＤＭＤ制御部２２、輝度情報は光源ドライバ２４、コントラスト情報はＤＭＤ制御部２２及び光源ドライバ２４に入力され、各モジュールで処理を行う。色設定信号は光源ドライバ２４に入力され、光源２３の色を可変設定する。ＤＭＤ制御部２２は画像表示信号のタイミングに合わせて画像メモリ２５内の画像データを所定期間（スクリーン１が１回転する期間：例えば５０ｍｓ）に順次ＤＭＤ２１に送出する。
【００４３】
〈３次元画像表示装置の動作〉
図４は、本発明の実施形態に係る３次元画像表示装置の動作を示すフローチャートである。また、図５は、本発明の実施形態に係る３次元画像表示装置において、標本化画像の表示間隔が一定の場合の動作を示すタイミングチャートであり、図６は、標本化画像の表示間隔が可変の場合の動作を示すタイミングチャートである。これらの図を用いて、本発明の実施形態に係る３次元画像表示装置の動作について説明する。
【００４４】
《フローチャート（図４）》
ＣＰＵ１１は、スイッチ１６からの３次元表示制御信号がオンであるか否かを判定し（ステップＳ１）、オンでないときは（ステップＳ１：NO）、ポーリング処理を行い（ステップＳ２）、オンのときは（ステップＳ１：YES）、モータ制御信号をオンにする（ステップＳ３）。
【００４５】
次にＣＰＵ１１は、センサ６から同期信号が入力されたか否かを判定し（ステップＳ４）、入力されていないときは（ステップＳ４：NO）、ポーリング処理を行う（ステップＳ５）。
【００４６】
ＣＰＵ１１は、同期信号が入力されると（ステップＳ４：YES）、第１のメモリ１７に設定された表示モードテーブルを参照して、表示モード情報を読み出し、高画質モード表示部か否かを判定する（ステップＳ６）。高画質モード表示部であると判定した場合は（ステップＳ６：YES）、表示モード選択信号に高画質モードを設定して、画像表示信号出力選択部１３、色設定選択部１４、及び画質設定選択部１５に送出する（ステップＳ７）。
【００４７】
高画質モード表示部でないと判定した場合は（ステップＳ６：NO）、低画質モード表示部か否かを判定する（ステップＳ８）。低画質モード表示部であると判定した場合は（ステップＳ８：YES）、表示モード選択信号に低画質モードを設定して、画像表示信号出力選択部１３、色設定選択部１４、及び画質設定選択部１５に送出する（ステップＳ９）。
【００４８】
低画質モード表示部でないと判定した場合は（ステップＳ８：NO）、表示モード選択信号に標準モードを設定して、画像表示信号出力選択部１３、色設定選択部１４、及び画質設定選択部１５に送出する（ステップＳ１０）。
【００４９】
ステップＳ７、Ｓ９、又はＳ１０を実行することで、高画質モード、低画質モード、又は標準モードの表示モード選択信号を画像表示信号出力選択部１３、色設定選択部１４、及び画質設定選択部１５に送出した後、各モードに対応する画像表示信号、色設定信号、画質設定信号、及び標本化画像データをプロジェクタ２へ送信する（ステップＳ１１）。
【００５０】
次に、ＣＰＵ１１は、スクリーン１の１回転分の画像表示が完了したか否かを判定する（ステップＳ１２）。即ち、ＣＰＵ１１は、画像表示信号出力選択部１３の出力をカウントしており、例えば１００枚分の画像表示信号をカウントしたときに、１回転分の画像表示が完了したと判定することができる。
【００５１】
スクリーン１の１回転分の画像表示が完了していないときは（ステップＳ１２：NO）、次の標本化画像表示サイクルをウェイトした後（ステップＳ１３）、ステップＳ６に移行する。
【００５２】
スクリーン１の１回転分の画像表示が完了したときは（ステップＳ１２：YES）、３次元表示制御信号がオフであるか否かを判定する（ステップＳ１４）。そして、オフでないときはステップＳ４に移行して同期信号の入力を待機し、オフであったときはモータ制御信号をオフにして３次元画像の表示を終了させる。
【００５３】
《標本化画像の表示間隔が一定の場合の動作タイミングチャート（図５）》
この図は、スクリーン１の回転周波数が２０Ｈｚ、１回転あたりの標本化画像数が１００枚の例を示している。標本化画像の表示間隔（表示サイクル）は５００μｓとなる。なお、表示間隔が一定の場合の表示モードは標準モードに固定される。
【００５４】
スイッチ１６をオンにすると、３次元表示制御信号がオン（ハイレベル）となり、ＣＰＵ１１はモータ４へモータ制御信号の供給を開始する。スクリーン１が１回転する毎に、センサ６はパルス信号である同期信号をＣＰＵ１１へ送信する。スクリーン１の回転周波数が２０Ｈｚであるため、同期信号の周期は５０ｍｓとなる。
【００５５】
次に制御装置７は、画像表示信号、色設定信号、画質設定信号、及び標本化画像データをプロジェクタ２へ送信する。ここで、画像表示信号、色設定信号、画質設定信号は標準モードに対応するものである。即ち、画像表示信号はスクリーン１の回転周期である５０ｍｓ毎に標本化画像数である１００個のパルスを有するパルス信号であり、色設定信号は標準色、画質設定信号は標準画質を表すものである。このように、スクリーン１が１回転する期間全体の標本化画像の表示間隔を一定にする制御モードを等間隔制御モードと言うことにする。
【００５６】
プロジェクタ２がパルス信号である画像表示信号をトリガ信号として標本化画像データを切り替えることで、スクリーン１が１回転する間に１００枚の標本化画像が順次スクリーン１に表示され、３次元画像の観測が可能となる。
【００５７】
スイッチ１６をオフにすると、３次元表示制御信号がオフ（ロウレベル）となり、ＣＰＵ１１はモータ４へのモータ制御信号の供給を停止し、３次元画像の表示を終了させる。
【００５８】
《標本化画像の表示間隔が可変の場合の動作タイミングチャート（図６）》
この図も図５と同様に、スクリーン１の回転周波数が２０Ｈｚ、１回転あたりの標本化画像数が１００枚の例を示している。
【００５９】
３次元表示制御信号、及びモータ制御信号は図５と同じである。画像表示信号の周期、即ち１枚の標本化画像の表示間隔は、標準モード時は５００μｓ、高画質モード時は２５０μｓ、低画質モード時は１ｍｓである。また、色設定信号は、標準モード時は標準色、高画質モード時は赤、低画質モード時は黒である。また、画質設定信号は、標準モード時は標準画質、高画質モード時は高画質、低画質モード時は低画質である。
【００６０】
プロジェクタ２が画像表示信号をトリガ信号として標本化画像データを切り替えることで、スクリーン１が１回転する間に１００枚の標本化画像が順次スクリーン１に表示され、３次元画像の観測が可能となる。
【００６１】
このとき、標本化画像は、標準モードでは、周期が５００μｓの標準解像度、色が標準色、画質が標準画質で表示される。また、高画質モードでは、周期が２５０μｓの高解像度、色が赤、画質が高画質で表示される。また、低画質モードでは、周期が１ｍｓの低解像度、色が黒、画質が低画質で表示される。このように、スクリーン１が１回転する期間で標本化画像の表示間隔を変化させる制御モードを間隔可変制御モードと言うことにする。
【００６２】
このように、図５に示した標本化画像の表示間隔が一定の場合と同一の標本化画像数、プロジェクタ２の画像メモリ２５の容量で、３次元画像の一部の高解像度化、低解像度化が可能となる。また、標本化画像を高解像度化することで臨場感を高めることができ、標本化画像の色及び画質を高画質対応にすることで、臨場感を高めることができる。
【００６３】
なお、以上説明した実施形態は、標本化画像の表示間隔、色、画質の全ての変更が可能な構成であるが、少なくとも表示間隔の変更が可能であれば、３次元画像の一部の高解像度化、低解像度化が可能となり、臨場感を高めることができる。また、画質については、輝度、コントラスト、画素数の少なくとも一つを調整する構成とすればよい。
【００６４】
また、この実施形態は、奥行標本化方式として回転円筒方式を採用したものであるが、本発明は、回転円筒方式に限らず、バリフォーカルミラー方式、ハーフミラー合成方式、光源回転方式など、あらゆる奥行標本化方式の３次元画像表示装置に適用することができる。
【符号の説明】
【００６５】
１…スクリーン、２…プロジェクタ、７…制御装置、１１…ＣＰＵ、１２…画像表示信号生成部、１３…画像表示信号出力選択部、１４…色設定選択部、１５…画質設定選択部、１７…第１のメモリ、１８…第２のメモリ。
【先行技術文献】
【特許文献】
【００６６】
【特許文献１】特開２００５−４５６２９号公報（図１４）
【特許文献２】特開平１０−２０２４５号公報
【図１】
2015105967.tif 000004
【図２】
2015105967.tif 000005
【図３】
2015105967.tif 000006
【図４】
2015105967.tif 000007
【図５】
2015105967.tif 000008
【図６】
2015105967.tif 000009
【図７】
2015105967.tif 000010
【図８】
2015105967.tif 000011
【図９】
2015105967.tif 000012